(57)【要約】      （修正有）【課題】上部にフックを備えたバーに背縫い線及び脇縫い線に沿って折り畳んだ着物を掛ける着物用ハンガーにおいて、着物を掛けた状態で重力バランスを確実に維持させること。【解決手段】下段に左右の振り下を掛ける二本のバー３を、上段に裾側を折り返して胴部を掛けるバー４をそれぞれ配置した。【選択図】  図１
2006102484.tif 000002
【特許請求の範囲】
【請求項１】
上部にフックを取り付けたバーに背縫い線及び脇縫い線に沿って折り畳んだ着物を掛ける着物用ハンガーにおいて、下段に左右の振り下を掛ける二本のバーを、上段に裾側を折り返して胴部を掛けるバーをそれぞれ配置した着物用ハンガー。
【請求項２】
上下段のバーをフックを取り付けた吊杆から片持式に突出させた請求項１に記載の着物用ハンガー。
【請求項３】
上部にフックを取り付けたバーを蛇行させて上下二段のバーを形成し、下段のバーを長手方向に分割させた請求項１に記載の着物用ハンガー。
【請求項４】
上段のバーの幅及び/ 又は太さを下段のバーより大きくした請求項１、２又は３に記載の着物用ハンガー。
【請求項５】
上段のバーを下段のバーより長くした請求項１、２、３又は４に記載の着物用ハンガー。
【発明の詳細な説明】
【技術分野】
【０００１】
本発明は、上部にフックを取り付けたバーに背縫い線及び脇縫い線に沿って折り畳んだ着物を掛ける着物用ハンガーに関するものである。
【背景技術】
【０００２】
この種のハンガーとしては、特許文献１、２に記載されたものが公知である。
特許文献１は、Ｕ字状のバーを片持式に突出させたハンガーを開示している。バーはその中間部から外側に向って折れ曲がるように構成してあって、バーの先端側を基端側へ沿わせられるようにしている。
このハンガーは、背縫い線及び脇縫い線に沿って折り畳み、身頃同志を重ね合わせた状態で着物の左右の肩部の内側を左右のバー上へ臨ませ、その先端側に袖口を位置させた後バーを折り曲げて袖口を身頃側へ旋回させ、そのまま吊杆５のフックを利用して吊り下げるようにしている。
【０００３】
しかしながら、この構成のハンガーでは、着物の身丈をそのままの長さにして吊り下げることになるため、通常の洋服ダンスに吊り下げて収納することが不可能となる。
また、着物のすべての重量が左右の肩部に掛かってしまうが、バーによる折れ癖が付くのを防止するためにバーを太くしてしまうと、太い２本のバーが４本並ぶことになるため、ハンガーに吊り下げた状態での全体の収納幅が大きくなってしまう不都合もある。
【０００４】
特許文献２では、吊杆の上部に４本、下段に１本のバーをそれぞれ配置した構成のハンガーを開示している。
上段のバーにおいて、中央の２本で左右の肩部を吊り、袖を折り返して袖口を外側の２本のバー上に臨ませて着物を吊り下げるようにしている。この吊り下げ態様は特許文献１に開示のハンガーと略同じものとなる。
下段のバーは身頃同志を重ね合わせた着物の裾側を吊り掛けるためのもので、裾を上向きに折り返して下段のバーに掛けることによって、着物の肩部に着物の重量全体が掛からないようにしている。
【０００５】
しかしながら、下段のバーに裾を単に折り返して掛けるだけでは、バーの両側での重量バランスが崩れ易く、バランスが崩れると裾は容易にバーからずり落ちて床や収納タンスの底面と接触してしまう不都合がある。
そのため、この構成のハンガーは、商品の陳列用には使用することができない不都合もある。
【特許文献１】特開平7-39445 号公報
【特許文献２】特許第3002489 号公報
【発明の開示】
【発明が解決しようとする課題】
【０００６】
本発明は、上部にフックを取り付けたバーに背縫い線及び脇縫い線に沿って折り畳んだ着物を掛ける着物用ハンガーにおいて、着物を掛けた状態で重力バランスを確実に維持させることを課題としたものである。
【課題を解決するための手段】
【０００７】
この技術的課題を解決するための第一の技術的手段は、（イ）下段に左右の振り下を掛ける二本のバーを、（ロ) 上段に裾を折り返して胴部を掛けるバーをそれぞれ配置したこと、である。
第二の技術的手段は、上下段のバーをフックを取り付けた吊杆から片持式に突出させたことであり、第三の技術的手段は、上部にフックを取り付けたバーを下に向って蛇行させて上下二段のバーを形成し、下段のバーを長手方向に分割させたことである。
【０００８】
第一の技術的手段では、身頃同志を重ね合わせるように折り畳んだ着物を上下逆向きにして吊り下げる方式を採用することになる。
吊杆の下段には二本のバーが突出させられていて、ここに袖の振り下を掛けると、肩部を下に向けて着物が吊り下げられることになる。
身頃同志を重ね合わせた着物の裾側を折り返して胴部を上段のバーに掛けると、着物の上衣側の重量は振り下を介して下段のバーが受け止め、下衣側の重量は上段のバーがこれを受け止めることになる。なお、振り下はそれ自身が折り目となっているから、バーによる折り癖の発生が問題となることはない。
【０００９】
着物は上衣の方が多くの生地を使用して仕立てられていて下衣より重くなっているが、上衣側の重量を下段のバーが受けているから、着物は、上衣側へ滑り落ちることはない。また、下衣側は上衣の重さに抗して下衣側へ滑り落ちることもあり得ない。
したがって、ハンガーのフックを上にして吊るした場合には、吊り下げた着物の重力バランスが確実に維持されることになる。
【００１０】
上記の技術的手段において、上下二段のバーは、フックを取り付けた吊杆から片持式に突出させる他、上部にフックを取り付けたバーを下に向って蛇行させて上下二段のバーを形成し、下段のバーを長手方向に分割させることによって形成することができる。
前者の構成では、バーの先端が同一方向に向くことになるから、着物を同じ方向から掛け入れることができる。後者の場合はハンガー自体の重量バランスがよく、不使用時にも安定させられる利点がある。
【００１１】
また、上記の技術的手段における上段のバーの幅及びの太さのいずれか又は双方を下段のバーより大きくしておくことによって、胴部への折り癖の発生を防止することができる。この場合、バーの内側に防虫剤収納部を設けておくと、着物への防虫効果を大きくすることができる。
また、上段のバーを下段のバーより長く構成すると、裾を折り曲げて胴部全体をバーに掛けられるから、掛けた着物に不用意な撓みやシワが生じることもない。
【００１２】
なお、ハンガーは金属、合成樹脂、木の他、公知のハンガー素材で形成するようにしても良い。
また、バーの形状は断面が円形や楕円形のものに限らず、半円形や蒲鉾型のものであっても良いし、Ｔ字形やＩ字形のものであっても良い。
【発明の効果】
【００１３】
着物を掛けた状態で重力バランスを確実に維持させられる結果、着物を安定した状態でハンガーに吊り下げることができ、しかも、一般に使用されている洋服ダンスを利用して収納させられる利点がある。
また、この吊り下げ状態において、商品を陳列することが可能となり、従来必要とされていた大型の衣紋掛けを用意する必要もない。
【実施例１】
【００１４】
図１は、本発明に係る着物用ハンガー１の正面の斜視図である。
このハンガーは金属製の丸棒を使用して形成してあり、吊杆２の下端には二本のバー３、３を同じ高さで並列させて片持式に突出させ、その上方で同方向に１本のバー４を同じく片持式に突出させている。
【００１５】
この実施例では、吊杆の上部からは斜め上方にアーム５を突出させてあって、その先端頂部にはフック６を水平方向での旋回を可能にして取り付けている。フックは、アームの先端を屈曲させて形成するようにしてもよい。
また、上段のバー４は下段のバー３、３よりやや太くすると共に、若干長く形成し、胴部の反転部に折り癖が付かないようにしている。
なお、好みによって、バーの表面に滑り止め加工を施すようにしてもよい。
【００１６】
着物１０は、図２に示したように、背縫い線１１及び左右の脇縫い線１２を折り目として身頃が重なるように折り畳んであり、図２では、折り畳んだ着物１０を上下逆向きに示しているから、右前身頃１３が見える状態となっている。また、左右の袖１５、１５は、双方とも右前身頃１３上に位置するように折り畳んでいる。
【００１７】
着物１０を、畳みの上やテーブルの上で図２に示したように折り畳み、最初にハンガーの下段のバー３、３をそれぞれ袖の振り下１６、１６内に臨ませ、それを前進させながら、あるいは前進が完了した段階で着物の裾側１７を上に持ち上げて、上段のバー４に接した部分で折り返すと、着物１０は二つ折り状態となる（図３参照）。
そのままフック６を持って持ち上げると、着物１０はハンガー１にバランスよく吊り下げられることになる。
【００１８】
この実施例では、左右の袖１５、１５を双方とも右前身頃１３上に位置するように折り畳んでハンガーに掛けるようにしているが、バー３、３の間隔を少し大きめに設計して着物を二本のバー３、３の間に位置させ、左右の袖１５、１５を外側に折り畳んで振り下１６、１６をバー３、３上に掛けるようにしても良い。
【実施例２】
【００１９】
図４、５は合成樹脂によってバー本体を一体成型したハンガー２１であって、上部にフック２６を取り付けたバー２５の断面形状は図５に示したようにＩ字形となっている。
バー２５は、下に向って蛇行させることによって上下二段のバー２４、２３を形成し、下段のバー２３は長手方向に分割させてて縦楕円形状に形成してあり、上段のバー２４は上面を円弧状に形成して、掛けた着物に折り癖が付かないようにしている。
着物を掛ける手順は、上記のハンガーとほぼ同じである。
【図面の簡単な説明】
【００２０】
【図１】ハンガーの正面斜視図
【図２】折り畳んだ状態の着物をハンガーに吊るす説明図
【図３】着物をハンガーに吊るした状態図
【図４】他の実施例におけるハンガーの正面図
【図５】図４Ａ−Ａ’箇所の断面図
【符号の説明】
【００２１】
１，21ハンガー、  ２吊杆、  ３，23下段のバー、  ４，24上段のバー、  ５、アーム、  ６，26フック、１０着物、  １１背縫い線、  １２脇縫い線、  １３右前身頃、  １５袖、  １６振り下、  １７着物の裾側、 
２５バー
【図１】
2006102484.tif 000003
【図２】
2006102484.tif 000004
【図３】
2006102484.tif 000005
【図４】
2006102484.tif 000006
【図５】
2006102484.tif 000007